(57)【要約】 【課題】  信頼性の高い構造を有する２層型情報記録媒体を提供する。【解決手段】  情報記録媒体には、第１の情報記録再生部と第２の情報記録再生部をそれぞれ別個に形成しておき、これら第１の情報記録再生部と第２の情報記録再生部を透明接着層によって一体化することで、２層の記録層を有する情報記録媒体を製造する。各情報記録再生部は、情報が記録される領域としてのグルーブと、それに隣接するランド部とを有する。第２記録層のグルーブ部の厚さは第１記録層のグルーブ部の厚さより薄く構成される。また、第１記録層内の未記録のグルーブ部の光学的位相を第２記録層内の記録済みのグルーブ部の光学的位相と等しくし、第２記録層内の未記録のグルーブ部の光学的位相を第１記録層内の記録済みのグルーブ部の光学的位相と等しくする。【選択図】      図１
2006092660.tif 000002
【特許請求の範囲】
【請求項１】
第１の透明基板、第１記録層及び半透過膜層が順に積層されてなる第１の情報記録再生部と、
第２の透明基板、反射膜層及び第２記録層が順に積層されてなる第２の情報記録再生部と、
前記半透過膜層と前記第２記録層を向き合わせて貼り合わせる透明接着層と、備え、
前記第１記録層及び前記第２記録層の各々は、情報書込み用のグルーブ部と、前記グルーブ部に隣接するランド部とを有し、
前記第２記録層のグルーブ部の厚さは、前記第１記録層のグルーブ部の厚さより薄いことを特徴とする情報記録媒体。
【請求項２】
前記第１記録層内の未記録のグルーブ部と前記第１記録層内のランド部との光学的位相差は前記第２記録層内の記録済みのグルーブ部と前記第２記録層内のランド部との光学的位相差と等しく、前記第２記録層内の未記録のグルーブ部と前記第２記録層内のランド部との光学的位相差は、前記第１記録層内の記録済みのグルーブ部と前記第１記録層内のランド部との光学的位相差と等しいことを特徴とする請求項１に記載の情報記録媒体。
【請求項３】
前記第１記録層のグルーブ部は前記第１記録層のランド部より前記第１の透明基板側に凹の形状を有し、前記第２記録層のグルーブ部は前記第２記録層のランド部より前記第１の透明基板側に凸の形状を有することを特徴とする請求項１乃至２のいずれか１項に記載の情報記録媒体。
【請求項４】
前記第１記録層のグルーブ部は前記第１記録層のランド部より前記第１の透明基板側に凸の形状を有し、前記第２記録層のグルーブ部は前記第２記録層のランド部より前記第１の透明基板側に凹の形状を有することを特徴とする請求項１乃至２のいずれか１項に記載の情報記録媒体。
【発明の詳細な説明】
【技術分野】
【０００１】
本発明は、光学的に情報記録が可能な情報記録媒体に関し、特に、複数の情報記録層を有する情報記録媒体に関する。
【背景技術】
【０００２】
従来より、大容量の情報記録媒体として、ＣＤ（Compact Disc）が広く普及している。また、近年、更なる大容量の情報記録媒体として、ＤＶＤ（Digital Video Disc又はDigital Versatile Disc）が注目されている。ＣＤが最大約６５０ＭＢ（メガバイト）程度の記録容量であるのに対し、ＤＶＤはその構造的特徴により数ＧＢ（ギガバイト）以上の記録容量を実現し得る。現在商品化されている記録層を一層だけ備えた片面１層型ＤＶＤと、片面に２層の記録層を備えた片面２層型ＤＶＤの仕様によれば、それぞれの最大記録容量は約４．７ＧＢ、約８．７ＧＢとなっている。
【０００３】
ところで、情報の追記録が可能なＤＶＤ−Ｒ（追記型ＤＶＤ）においては、高密度記録を行う必要があり、再現性良く情報を追記録又は再生すること、すなわち信頼性が高く高品質のＤＶＤ−Ｒを提供することが重要な課題となっている。
【０００４】
特に、大量の情報を高密度で記録可能とする片面２層型ＤＶＤ−Ｒを実現するためには、互いに対向して重なり合っている各記録層にビーム光を入射させ、各記録層に対して排他的に情報書き込みを行う必要があり、その構造が極めて重要となっている。
【０００５】
片面２層型ＤＶＤ−Ｒを２つの記録層の貼り合わせ構造で実現する場合、第１記録層と同じ記録信号極性を得るために、第２記録層を浅い溝のオン・グルーブ（On-Groove）構造で作成する方法が知られている。なお、オン・グルーブ構造とは、記録層を色素材料のスピンコートにより形成する際のスピンコート方向に対して、情報記録部に相当するグルーブが凸、ランドが凹の形状を有するものを言う。これに対し、スピンコート方向に対してグルーブが凹、ランドが凸の形状を有するものをイン・グルーブ（In-Groove）と呼ぶ。
【０００６】
浅い溝のオン・グルーブ構造を採用する場合、スピンコートの特質上、グルーブ間（ランドに相当する位置）に色素材料がグルーブの厚さ以上に溜まってしまうことがある。この場合、記録動作によって、グルーブ間においても色素が変質してしまい、記録品質が著しく悪化するという問題がある。
【０００７】
このような問題に鑑み、第２記録層を深い溝のイン・グルーブ構造で作成する方法が特許文献１に記載されている。しかし、特許文献１のように第２記録層を深い溝のイン・グルーブ構造で形成すると、グルーブとランドとの光学的位相差が著しく大きくなるため、深いグルーブの傾斜面において入射光が散乱して、ディスクの反射率を著しく低下させてしまうという問題が生じうる。
【０００８】
【特許文献１】特開２００１−２３２３７号公報
【発明の開示】
【発明が解決しようとする課題】
【０００９】
本発明は、上記の点に鑑みてなされたものであり、信頼性の高い構造を有する２層型情報記録媒体を提供することを目的とする。
【課題を解決するための手段】
【００１０】
請求項１に記載の発明は、情報記録媒体であって、第１の透明基板、第１記録層及び半透過膜層が順に積層されてなる第１の情報記録再生部と、第２の透明基板、反射膜層及び第２記録層が順に積層されてなる第２の情報記録再生部と、前記半透過膜層と前記第２記録層を向き合わせて貼り合わせる透明接着層と、備え、前記第１記録層及び前記第２記録層の各々は、情報書込み用のグルーブ部と、前記グルーブ部に隣接するランド部とを有し、前記第２記録層のグルーブ部の厚さは、前記第１記録層のグルーブ部の厚さより薄いことを特徴とする。
【発明を実施するための最良の形態】
【００１１】
本発明の１つの観点では、情報記録媒体は、第１の透明基板、第１記録層及び半透過膜層が順に積層されてなる第１の情報記録再生部と、第２の透明基板、反射膜層及び第２記録層が順に積層されてなる第２の情報記録再生部と、前記半透過膜層と前記第２記録層を向き合わせて貼り合わせる透明接着層と、備え、前記第１記録層及び前記第２記録層の各々は、情報書込み用のグルーブ部と、前記グルーブ部に隣接するランド部とを有し、前記第２記録層のグルーブ部の厚さは、前記第１記録層のグルーブ部の厚さより薄い。
【００１２】
上記の情報記録媒体は、例えばＤＶＤ−Ｒ、ＤＶＤ−ＲＷその他の２層型のディスク状記録媒体などとして構成することができる。第１の情報記録再生部と第２の情報記録再生部をそれぞれ別個に形成しておき、これら第１の情報記録再生部と第２の情報記録再生部を透明接着層によって一体化することで、２層の記録層を有する情報記録媒体を容易に製造することができる。各情報記録再生部は、情報が記録される領域としてのグルーブと、それに隣接するランド部とを有する。ここで、第２記録層のグルーブ部の厚さは第１記録層のグルーブ部の厚さより薄く構成される。これにより、第２記録層のグルーブ部とランド部の光学的位相差を小さくするとともに、グルーブ部の傾斜面における入射光の散乱などを防止することができ、記録媒体の反射率の低下などを防止することができる。
【００１３】
上記の情報記録媒体の一態様では、前記第１記録層内の未記録のグルーブ部と前記第１記録層内のランド部との光学的位相差は前記第２記録層内の記録済みのグルーブ部と前記第２記録層内のランド部との光学的位相差と等しく、前記第２記録層内の未記録のグルーブ部と前記第２記録層内のランド部との光学的位相差は、前記第１記録層内の記録済みのグルーブ部と前記第１記録層内のランド部との光学的位相差と等しい。これにより、第１記録層の記録情報を読み出して得られる再生信号の振幅と、第２記録層の記録情報を読み出して得られる再生信号の振幅を一致させることができる。よって、第１記録層と第２記録層の記録情報を同一の再生処理回路などにより処理することができる。また、これにより、再生装置において、単層型の情報記録媒体との互換性を確保することができる。
【００１４】
好適な例では、前記第１記録層のグルーブ部は前記第１記録層のランド部より前記第１の透明基板側に凹の形状を有し、前記第２記録層のグルーブ部は前記第２記録層のランド部より前記第１の透明基板側に凸の形状を有する。他の好適な例では、前記第１記録層のグルーブ部は前記第１記録層のランド部より前記第１の透明基板側に凸の形状を有し、前記第２記録層のグルーブ部は前記第２記録層のランド部より前記第１の透明基板側に凹の形状を有する。
【実施例】
【００１５】
以下、本発明の好適な実施例を図面に基づいて説明する。以下の説明では、本発明による情報記録媒体の一実施例として、情報再生（情報読取り）に加え、一度だけ情報記録（情報書込み）が可能な追記型ＤＶＤ（以下、ＤＶＤ−Ｒという）について説明する。
【００１６】
図１は、本実施形態に係るＤＶＤ−Ｒの要部構造を示す縦断面図である。より詳細に言えば、円盤状のＤＶＤ−Ｒを半径方向に沿って厚さ方向に切断したときの断面構造を示している。
【００１７】
図１において、ＤＶＤ−Ｒは、後述するビーム光が入射される第１の透明基板１上に、第１記録層２、半透過膜層３、接着層４、第２記録層５、反射膜層６及び第２の透明基板７が積層された一体化構造を有しており、全体として約１．２ｍｍの厚さとなっている。
【００１８】
透明基板１は、約０．５５ｍｍ程度の厚さを有し、光ピックアップ（図示省略）に設けられている対物レンズ９，１０を介して入射される記録ビーム光又は読取りビーム光１１，１２（以下、これらの光を単に「ビーム光」と総称する）に対して透明な硬質プラスチック等の硬質材で形成されている。
【００１９】
なお、図１には説明の便宜上、２個の対物レンズ９，１０によってビーム光１１，１２をそれぞれ個別に入射させるようにしているが、実際の光ピックアップでは、１つの対物レンズで第１記録層２および第２記録層６に対する焦点調整を行うことにより、ビーム光の入射が行われる。
【００２０】
第１記録層２は有機色素系材料にて成膜され、透明基板１に対し一体に積層されている。半透過膜層３は、ビーム光１１，１２に対して半透明性を有するＳｉＣ（炭化珪素）等の誘電体薄膜やＡｕ（金）で成膜され、第１記録層２に対して一体に積層されている。これら透明基板１と第１記録層２及び半透過膜層３によって第１の情報記録再生部（符号省略）が構成されている。
【００２１】
透明基板７は、約０．６ｍｍ程度の厚さを有し、透明基板１と同様に硬質プラスチック等の硬質材で形成されている。反射膜層６は、上記対物レンズ９，１０を介して入射するビーム光１１，１２を全反射するＡｌ（アルミニウム）等で成膜されている。第２記録層５は、第１記録層２と同様に有機色素系材料で成膜され、反射膜層６に対し一体に積層されている。これら透明基板７と反射膜層６及び第２記録層５によって、第２の情報記録再生部（符号省略）が構成されている。
【００２２】
これら第１，第２の情報記録再生部は、所定の厚さを有する接着層４によって、半透過膜層３と第２記録層５側が対向されて一体に貼着されている。
【００２３】
接着層４は、ビーム光１１，１２に対して透明な樹脂、例えば２液混合型の紫外線硬化型樹脂等が用いられる。また、薄膜状の透明シートの両面に、溶剤を含浸して粘着性を高めたアクリル系粘着材を塗布することによって、いわゆる粘着シートを製作しておき、この粘着シートを接着層４として半透過膜層３と第２記録層５を貼着させた構造となっている。
【００２４】
第１記録層２から反射膜層６までの厚さは約５０μｍ程度に設定されている。ここで、第１記録層２には、情報記録又は情報再生の際にビーム光１１によって走査される方向（いわゆるトラック方向）に沿って螺旋状に延びるグルーブ（Groove）Ｇとランド（Land）Ｌが形成されている。第１記録層２におけるグルーブＧは半径方向に沿って並び、透明基板１側（図中下側）に向けて凸の形状に形成され、ランドＬはそのグルーブＧに対して透明基板１側（図中下側）に向けて凹の形状に形成されている。また、図示していないが、ランドＬの側壁には、物理的フォーマットを規定するためのウォブル（Wobble）が形成されている。
【００２５】
これに対し、第２記録層５におけるグルーブＧ及びランドＬは、第１記録層２における上記グルーブＧ及びランドＬに対向して上記トラック方向に沿って螺旋状に延設されているが、凹凸の位相構造が逆転している。
【００２６】
すなわち、第２記録層５におけるグルーブＧは、半径方向に沿って並ぶと共に、透明基板７側（図中上側）に向けて凸の形状に形成され、ランドＬはそのグルーブＧに対して透明基板７側（図中上側）に向けて凹の形状に形成されている。また、第２記録層５におけるランドＬの側壁にも、物理的フォーマットを規定するためのウォブルが形成されている。
【００２７】
このように、第１，第２記録層２，５におけるそれぞれのグルーブＧとランドＬの位相構造が逆転している結果、情報記録又は情報再生の際には、ビーム光１１は第１記録層２の凸形状のグルーブＧに入射し、ビーム光１２は第２記録層５の凹形状のグルーブＧに入射する。
【００２８】
次に、かかる構造を有するＤＶＤ−Ｒの製造工程を説明する。まず、上記第１の情報記録再生部と第２の情報記録再生部をそれぞれ別個の中間生成物として形成する。
【００２９】
すなわち、第１の情報記録再生部の製造工程にあっては、リソグラフィによって透明基板１の表面にグルーブＧを形成するための螺旋溝を形成し、次に、スピンコート法を用いて透明基板１上に第１記録層２を成膜する。これにより、上記螺旋溝の谷の部分に溜まった有機色素系材料によってグルーブＧが形成され、上記螺旋溝間の山の部分付着する有機色素系材料によってランドＬが形成される。
【００３０】
ここで、グルーブＧの厚さｄＧ１とランドＬの厚さｄＬ１は、図２に拡大して示すように、ｄＧ１＞ｄＬ１に設定されており、スピンコーティングの際の回転速度、有機色素系材料の濃度等を調整することで、スピンコーティングを行うだけで自動的にｄＧ１＞ｄＬ１の関係が得られるようにしている。
【００３１】
次に、スパッタ法により、第１記録層２上に半透過膜層３を成膜することにより、第１の情報記録再生部を製造する。
【００３２】
一方、第２の情報記録再生部の製造工程にあっては、リソグラフィによって透明基板７の表面にグルーブＧを形成するための螺旋溝を形成する。
【００３３】
次に、スパッタ法により、透明基板７の表面に反射膜層６を成膜した後、スピンコート法を用いて反射膜層６上に第２記録層５を成膜する。これにより、反射膜層６の螺旋溝の谷の部分に溜まった有機色素系材料によってグルーブＧが形成され、螺旋溝間の山の部分付着する有機色素系材料によってランドＬが形成される。
【００３４】
ここで、グルーブＧの厚さｄＧ２とランドＬの厚さｄＬ２は、ｄＧ２＞ｄＬ２に設定される。この場合にも、スピンコーティングの際の回転速度、有機色素系材料の濃度等を調整することで、スピンコーティングを行うだけで自動的にｄＧ２＞ｄＬ２の関係が得られるようにしている。
【００３５】
次に、こうして製造された第１，第２の情報記録再生部の半透過膜層３と第２記録層５の間に接着層としての紫外線硬化型樹脂又は粘着シートを介在させることにより、第１，第２の情報記録再生部を一体化させて、ＤＶＤ−Ｒが製造される。
【００３６】
このように、本実施例では、第１記録層２及び第２記録層はいずれもイン・グルーブ構造となるように構成される。よって、グルーブＧ間のランドＬの厚さを薄くすることができ、記録動作時にランドＬの色素が変質することによる記録品質の低下を防止することができる。
【００３７】
また、図２に示すように、第２記録層５のグルーブＧの厚さｄＧ２は、第１記録層２のグルーブＧの厚さｄＧ１よりも薄く設定され、第２記録層５のランドＬの厚さｄＬ２も第１記録層２のランドＬの厚さｄＬ１より薄く設定される。このように、第２記録層５のグルーブを薄く設定することにより、第２記録層５のグルーブの傾斜面（破線で示す領域５０を参照）を小さくすることができ、グルーブＧとランドＬとの間の光学位相差を小さくすることができる。よって、そのような傾斜面における入射光の散乱を抑制することができ、ディスクの反射率の低下を抑制することができる。
【００３８】
次に、第１記録層２及び第２記録層５の動作及び特性について詳しく説明する。図３は、第１記録層５の一部の構成及び光学的位相を示し、図３（ａ）は未記録状態、図３（ｂ）は記録済み状態を示す。
【００３９】
図３は、第１記録層２の一部の構成及び光学的位相を示し、図３（ａ）は未記録状態、図３（ｂ）は記録済み状態を示す。
【００４０】
図３（ａ）に示すように、代表として示した２つのグルーブＧａ，Ｇｂが共に未記録の場合には、有機色素系材料が光学的に変化しないため、情報読取り用のビーム光１１がこれらのグルーブＧａ，Ｇｂを通って半透過膜層３で反射され再びグルーブＧａ，Ｇｂを通って透明基板１側へ戻る際の光学的位相Ｌａ１は等しくなる。
【００４１】
なお、「光学的位相」は、光学的距離を波長に基づいて位相に換算した値である。また、「光学的距離」は、一般に光が通過する物体の屈折率と当該物体内を通過する光の距離の積で与えられる。例えば物体の屈折率をＮ、物体内を通過する光の距離をＤとすれば、光学的距離：ＯＤ＝Ｎ×Ｄで与えられる。また、光の波長をλとすると、光学的位相：ＯＰ＝ＯＤ×２π／λで与えられる。
【００４２】
一方、グルーブＧａが未記録状態で、グルーブＧｂが記録済み状態の場合には、図３（ｂ）に示すように、グルーブＧｂの光学的位相がＬｂ１に変化する。これにより、グルーブＧａとＧｂとの間に光学的位相差φ１（＝Ｌｂ１−Ｌａ１）が発生する。
【００４３】
すなわち、情報記録が行われたグルーブＧｂは、有機色素系材料が情報書込み時のビーム光１１からの熱エネルギーを受けて屈折率が小さくなるように変化するので、光学的位相が変化し、その結果、光学的位相差φ１が発生する。
【００４４】
図４は、第２記録層５の一部の構成及び光学的位相を示し、図４（ａ）は未記録状態、図４（ｂ）は記録済み状態を示す。
【００４５】
図４（ａ）に示すように、代表として示した２つのグルーブＧａ，Ｇｂが共に未記録の場合には、有機色素系材料が光学的に変化しないため、情報読取り用のビーム光１１がこれらのグルーブＧａ，Ｇｂを通って半透過膜層３で反射され再びグルーブＧａ，Ｇｂを通って透明基板１側へ戻る際の光学的位相−Ｌａ２は等しくなる。なお、第２記録層５はビーム光１１の入射方向に対して層構造が第１記録層２と逆であるため、グルーブにより発生する光学的位相は逆特性となる。
【００４６】
一方、グルーブＧａが未記録状態で、グルーブＧｂが記録済み状態の場合には、図４（ｂ）に示すように、グルーブＧｂの光学的位相が−Ｌｂ２に変化する。これにより、グルーブＧａとＧｂとの間に光学的位相差φ２（＝−Ｌｂ２＋Ｌａ２）が発生する。
【００４７】
すなわち、情報記録が行われたグルーブＧｂは、有機色素系材料が情報書込み時のビーム光１１からの熱エネルギーを受けて屈折率が小さくなるように変化するので、光学的位相が変化し、その結果、光学的位相差φ２が発生する。
【００４８】
次に、第１記録層２及び第２記録層５の光学的特性について説明する。図５は、第１記録層２及び第２記録層５の光学的特性を、当該ＤＶＤ−Ｒを再生して得られるＲＦ信号及びプッシュプル信号によって示した図である。
【００４９】
なお、グルーブＧに情報読取り用のビーム光１１を照射したときの反射光を、２分割された受光領域（２個の受光領域）を有するフォトディテクタによって受光し、各受光領域で検出され出力される検出信号Ｓ１，Ｓ２の和（Ｓ１＋Ｓ２）をＲＦ信号、検出信号Ｓ１，Ｓ２の差分（Ｓ１−Ｓ２）をプッシュプル信号とした。
【００５０】
ビーム光１１の波長をλ、透明基板１の実効屈折率を定数Ｎ、ランドＬの透明基板１側の下面位置を基準としたときの透明基板１の方向における距離を変数Ｄで表すと、光学的位相構造における光学的距離はＮ×Ｄ、ビーム光１１の波面に上記反射により与えられる光学的位相差φは、φ＝４×π×Ｎ×Ｄ／λとなる。また、ビーム光１１がグルーブＧに入射し反射されて戻るまでの往復の光学的距離は２×Ｎ×Ｄとなる。
【００５１】
未記録状態のグルーブＧａと記録済み状態のグルーブＧｂにおけるビーム光１１の光学的距離（入射と反射の往復の光学的距離）２×Ｎ×Ｄをパラメータとした場合のＲＦ信号とプッシュプル信号の振幅変化を図５に示す。ＲＦ信号をグラフ１１０で示し、プッシュプル信号をグラフ１２０で示す。尚、これらのＲＦ信号とプッシュプル信号の振幅変化は、ＲＦ信号の最大振幅値に基づいて正規化されている。
【００５２】
図３に示したように、第１記録層２の未記録状態のグルーブＧａの光学的位相はＬａ１であり、そのときのＲＦ信号の振幅値はＰａ１となる。一方、第１記録層２の記録済み状態のグルーブＧｂの光学的位相はＬｂ１であり、そのときのＲＦ信号の振幅値はＰｂ１となる。よって、振幅値Ｐａ１とＰｂ１との差分の絶対値：δＭ１（＝｜Ｐａ１−Ｐｂ１｜）が、第１記録層２に記録された情報の信号振幅となる。
【００５３】
また、図４に示したように、第２記録層５の未記録状態のグルーブＧａの光学的位相はＬａ２であり、そのときのＲＦ信号の振幅値はＰａ２となる。一方、第２記録層５の記録済み状態のグルーブＧｂの光学的位相はＬｂ２であり、そのときのＲＦ信号の振幅はＰｂ２となる。よって、振幅値Ｐａ２とＰｂ２との差分の絶対値：δＭ２（＝｜Ｐａ２−Ｐｂ２｜）が、第２記録層５に記録された情報の信号振幅となる。
【００５４】
このように、第１記録層２と第２記録層５に記録された情報の信号振幅は、それぞれの層における光学的位相差φ１及びφ２により規定される。ここで、実際のＤＶＤ−Ｒにおいては、第１記録層と第２記録層に記録された情報を再生したときに得られる信号振幅が等しいことが好ましい。これは、ＤＶＤ−Ｒの再生装置において、第１記録層から得られた再生信号と第２記録層から得られた再生信号を同一の再生処理回路で処理するためである。
【００５５】
この観点から、本実施例では、第１記録層２と第２記録層５とにおいて、記録された情報を再生したときに得られる再生ＲＦ信号の振幅δＭ１とδＭ２が等しくなるようにする。即ち、第１記録層の光学的位相差φ１と第２記録層の光学的位相差φ２を等しくする。そのために、本実施例では、第１の記録層２の未記録状態のグルーブＧａの光学的位相Ｌａ１の大きさ（絶対値）が、第２の記録層５の記録済み状態のグルーブＧｂの光学的位相−Ｌｂ２の大きさ（絶対値）と等しくなるようにする。また、第１の記録層２の記録済み状態のグルーブＧｂの光学的位相Ｌｂ１の大きさ（絶対値）が、第２の記録層５の未記録状態のグルーブＧａの光学的位相−Ｌａ２の大きさ（絶対値）と等しくなるようにする。即ち、図３及び図４において、Ｌａ１＝Ｌｂ２、かつ、Ｌｂ１＝Ｌａ２となるように、第１の記録層２の厚さｄＧ１と第２の記録層５の厚さｄＧ２を設定する。
【００５６】
こうすることにより、図５から理解されるように、第１記録層と第２記録層からの再生ＲＦ情報の振幅δＭ１とδＭ２を等しくすることができ、再生装置内に設けられた同一の再生処理回路を用いていずれの記録層からも記録情報を再生することができる。
【００５７】
なお、図５から理解されるように、第１記録層と第２記録層からの再生ＲＦ信号は信号振幅は等しいが極性は逆である。よって、第１記録層又は第２記録層からの再生ＲＦ信号の一方を反転した状態で再生処理回路へ供給する、もしくは再生処理回路から出力される再生信号を反転して出力するなどの処理が必要となる。
【００５８】
（具体的構成例）
次に、上記の条件を満足する第１記録層及び第２記録層の具体的構成例を説明する。図６に、第１記録層２の構成例を示す。図６の例は１層ＤＶＤ−Ｒと同様の構成であり、各値は以下の通りである。
・トラックピッチ：０．７４μｍ
・グルーブ幅：    ０．３μｍ
・グルーブ深さ：    １４５ｎｍ
・グルーブ厚さ（グルーブ位置における第１記録層の厚さ）：  ７０ｎｍ
・ランド厚さ（ランド位置における第１記録層の厚さ）：  １０ｎｍ
上記の構造を有する第１記録層２による変調度、プッシュプル信号振幅及び反射率（未記録部）の各々と、グルーブ厚さ及びランド厚さとの関係を図７（ａ）〜（ｃ）に示す。なお、「変調度」とは、最大記録マーク（１４Ｔマーク）に対する再生信号のピーク値とゼロレベルとの差Ｉ14Hと、最大記録マークに対する再生信号の振幅Ｉ14の比（Ｉ14／Ｉ14H）を示す値であり、ＤＶＤ−Ｒ規格では６０％以上が要求されている。
【００５９】
図７（ａ）において、上記のようにグルーブ厚さ＝７０ｎｍ、ランド厚さ＝１０ｎｍの条件に対応する点１２１では、変調度は約６０％であり、ＤＶＤ−Ｒ規格の要求を満たした適切な値を示している。
【００６０】
また、図７（ｂ）において、同様の条件に対応する点１２２では、０．３５程度の値が得られている。また、図７（ｃ）において、同様の条件に対応する点１２３では、０．６５程度の反射率が得られている。
【００６１】
次に、図８に示すように、第２記録層を、
・トラックピッチ：０．７４μｍ
・グルーブ幅：    ０．３μｍ
・グルーブ深さ：    ４０ｎｍ
とし、グルーブ厚さ及びランド厚さを変化させて変調度、プッシュプル信号振幅及び反射率（未記録部）を求めた結果を図９（ａ）〜（ｃ）に示す。
【００６２】
図９（ａ）において、第１記録層２と同様に変調度約６０％を満足する条件の一例として、グルーブ厚さ６０ｎｍ、ランド厚さ２０ｎｍ（点１３１に対応）が得られる。この条件では、図８に示すように、第２記録層５のグルーブ厚さとランド厚さとの差は４０ｎｍ程度であり、グルーブの傾斜面による入射光の反射は抑制される。
【００６３】
また、この条件では、図９（ｂ）の点１３２に示すようにプッシュプル信号振幅は約０．３０であり、図９（ｃ）の点１３３に示すように反射率は約０．６０程度であり、いずれも許容範囲となっている。
【００６４】
以上のように、本実施例によれば、第１記録層２をオン・グルーブ構造、第２記録層５をイン・グルーブ構造とし、第２記録層５のグルーブ深さを第１記録層２のグルーブ深さより小さく構成する。第２記録層をイン・グルーブ構造とすることにより、成膜時のスピンコートによってランド部が必要以上に厚く形成されることが防止され、記録品質の低下を抑制することができる。また、第２記録層のグルーブ深さを浅くすることにより、グルーブの斜面における入射光の散乱などを防止し、反射率の低下などを抑制することができる。
【００６５】
さらに、本実施例では、第１記録層２の未記録状態のグルーブの光学的位相が第２記録層５の記録済み状態のグルーブの光学的位相と等しくなり、かつ、第１記録層２の記録済みのグルーブの光学的位相が第２記録層５の未記録状態のグルーブの光学的位相と等しくなるように、第１及び第２記録層の厚さをそれぞれ設定している。これにより、第１記録層からの再生ＲＦ信号振幅と第２記録層からの再生ＲＦ信号振幅とを等しくすることができ、両方の記録層からの再生ＲＦ信号を同一の再生処理回路で処理して記録情報を再生することができる。
【００６６】
（変形例）
上記の実施例では、図１に示したように、第１記録層２と第２記録層５のグルーブＧとランドＬの幾何学的な凹凸構造を逆位相にするものの、第１記録層２と第２記録層５のグルーブＧとランドＬの半径方向における位置は、ビーム光１１，１２の入射方向に対して同位相となっている。しかし、本発明はかかる構造に限定されるものではなく、図１０に示すように、第１記録層２と第２記録層５のグルーブＧとランドＬの半径方向における位置を、ビーム光１１，１２の入射方向に対して９０°位相ずらして配置してもよい。
【００６７】
また、図１１に示すように、第１記録層のグルーブＧを透明基板１側に向けて凹の形状にすると共に、第２記録層５のグルーブＧを透明基板１側に向けて凸の形状に、これら第１，第２記録層２，５の各グルーブＧを半径方向において同位相で形成してもよい。さらに、図１２に示すように、第１記録層のグルーブＧを透明基板１側に向けて凹の形状にすると共に、第２記録層５のグルーブＧを透明基板１側に向けて凸の形状に、これら第１，第２記録層２，５の各グルーブＧを半径方向において９０°位相をずらして形成してもよい。
【００６８】
また、上記の実施例では、本発明を適用した情報記録媒体の例としてＤＶＤ−Ｒについて説明したが、情報の再書き込みが可能な２層型のＤＶＤ−ＲＷやＤＶＤ−ＲＡＭにも本発明を適用することができる。
【図面の簡単な説明】
【００６９】
【図１】本発明の実施例に係るＤＶＤ−Ｒの構造を模式的に示す断面図である。
【図２】図１に示したＤＶＤ−Ｒの一部の拡大断面図である。
【図３】未記録状態及び記録済み状態における第１記録層の断面構造及び光学的位相特性を示す。
【図４】未記録状態及び記録済み状態における第２記録層の断面構造及び光学的位相特性を示す。
【図５】第１及び第２記録層におけるグルーブの光学的位相と、再生ＲＦ信号及びプッシュプル信号との関係を示すグラフである。
【図６】好適な具体的構成例による第１記録層の具体的構造を示す。
【図７】図６に示す具体的構成例による、変調度、プッシュプル信号振幅及び反射率の各々と、グルーブ厚さ及びランド厚さとの関係を示すグラフである。
【図８】好適な具体的構成例による第２記録層の具体的構造を示す。
【図９】図８に示す具体的構成例による、変調度、プッシュプル信号振幅及び反射率の各々と、グルーブ厚さ及びランド厚さとの関係を示すグラフである。
【図１０】本発明の実施例に係るＤＶＤ−Ｒの他の構造を模式的に示す断面図である。
【図１１】本発明の実施例に係るＤＶＤ−Ｒのさらに他の構造を模式的に示す断面図である。
【図１２】本発明の実施例に係るＤＶＤ−Ｒのさらに他の構造を模式的に示す断面図である。
【符号の説明】
【００７０】
１…第１の透明基板
２…第１記録層
３…半透過膜層
４…接着層
５…第２記録層
６…反射膜層
７…第２の透明基板
９，１０…対物レンズ
１１，１２…ビーム光
Ｇ，Ｇａ，Ｇｂ…グルーブ
Ｌ…ランド
【図１】
2006092660.tif 000003
【図２】
2006092660.tif 000004
【図３】
2006092660.tif 000005
【図４】
2006092660.tif 000006
【図５】
2006092660.tif 000007
【図６】
2006092660.tif 000008
【図７】
2006092660.tif 000009
【図８】
2006092660.tif 000010
【図９】
2006092660.tif 000011
【図１０】
2006092660.tif 000012
【図１１】
2006092660.tif 000013
【図１２】
2006092660.tif 000014